(57)【要約】【課題】災害が発生したときに迅速に避難することが可能な避難支援システムを実現する技術を提供すること。【解決手段】扉の施錠および解錠を行う電気錠と、電気錠を介して扉の施錠および解錠状態を制御する入退室管理装置と、を備える避難支援システムであって、入退室管理装置は、災害の発生を示す情報を受信すると、電気錠へ扉を解錠状態とする指示を出力する制御部を有する。【選択図】  図１
2009221704.tif 000002
【特許請求の範囲】
【請求項１】
扉の施錠および解錠を行う電気錠と、該電気錠を介して扉の施錠および解錠状態を制御する入退室管理装置と、を備える避難支援システムであって、
前記入退室管理装置は、災害の発生を示す情報を受信すると、前記電気錠へ前記扉を解錠状態とする指示を出力する制御部を有する、避難支援システム。
【請求項２】
請求項１に記載の避難支援システムにおいて、
前記電気錠は前記災害の発生を音声にて警告する音声出力手段を備え、
前記制御部は、前記災害の発生を示す情報を受信すると、前記音声出力手段に前記音声による警告を出力させる、避難支援システム。
【請求項３】
請求項２に記載の避難支援システムにおいて、
前記入退室管理装置は、
前記災害の発生を警告する旨の音声を示す音声データを格納する記憶部を備え、
前記制御部は、前記災害の発生を示す情報を受信すると、前記記憶部に格納されている音声データを前記音声出力手段へ送信し、送信した音声データに示された音声を前記音声出力手段に出力させる、避難支援システム。
【請求項４】
請求項２に記載の避難支援システムにおいて、
前記電気錠は、前記災害の発生を警告する旨の音声を示す音声データを格納する記憶部を備え、
前記制御部は、前記災害の発生を示す情報を受信すると、前記記憶部に格納されている音声データに示された音声を前記音声出力手段に出力させる、避難支援システム。
【請求項５】
扉の施錠および解錠を行う電気錠を介して扉の施錠および解錠状態を制御する入退室管理装置であって、
災害の発生を示す情報を受信すると、前記電気錠へ前記扉を解錠状態とする指示を出力する制御部を有する、入退室管理装置。
【請求項６】
音声出力手段を備える電気錠の動作を制御する入退室管理装置であって、
災害の発生を警告する旨の音声を示す音声データを格納する記憶部と、
前記災害の発生を示す情報を受信すると、前記電気錠へ扉を解錠状態とする指示を出力するとともに、前記記憶部に格納されている音声データを前記音声出力手段へ送信し、送信した音声データに示された音声を前記音声出力手段に出力させる制御部と、
を有する、入退室管理装置。
【請求項７】
入退室管理装置の制御に基づいて動作する電気錠であって、
前記災害の発生を警告する旨の音声を示す音声データを格納する記憶部と、
前記入退室管理装置からの第１の指示が入力されると、扉を解錠する駆動部と、
前記入退室管理装置からの第２の指示が入力されると、前記記憶部に格納されている音声データに示された音声を出力する音声出力手段と、
を有する電気錠。
【請求項８】
扉の施錠および解錠を行う電気錠を介して扉の施錠および解錠状態を制御する入退室管理装置で行われる避難支援方法であって、
災害の発生を示す情報を受信すると、前記電気錠へ前記扉を解錠状態とする指示を出力する、避難支援方法。
【請求項９】
記憶部を備え、音声出力手段を備える電気錠の動作を制御する入退室管理装置で行われる避難支援方法であって、
災害の発生を警告する旨の音声を示す音声データを前記記憶部に格納し、
前記災害の発生を示す情報を受信すると、前記電気錠へ扉を解錠状態とする指示を出力するとともに、前記記憶部に格納されている音声データを前記音声出力手段へ送信し、送信した音声データに示された音声を前記音声出力手段に出力させる、避難支援方法。
【請求項１０】
災害の発生を警告する旨の音声を示す音声データを格納する記憶部と、音声出力手段とを備える電気錠の動作を制御する入退室管理装置で行われる避難支援方法であって、
前記災害の発生を示す情報を受信すると、前記電気錠へ扉を解錠状態とする指示を出力するとともに、前記記憶部に格納されている音声データに示された音声を前記音声出力手段より出力させる、避難支援方法。
【発明の詳細な説明】
【技術分野】
【０００１】
本発明は、災害の発生を示す情報を用いた避難支援システム、入退室管理装置、電気錠、および避難支援方法に関する。
【背景技術】
【０００２】
情報を用いた避難支援システムとして、特許文献１（特開２００７−２０６７５２号公報）には、パーソナルコンピュータにより災害が発生したことを警告する警告システムが開示されている。
【０００３】
特許文献１に記載の警告システムは、ネットワークを介して提供される防災情報（災害の発生場所や規模を示す情報）を受信する防災情報受信機と、該防災情報受信機とＬＡＮ（Local Area Network）を介して接続される複数のパーソナルコンピュータと、で構成される。
【０００４】
特許文献１に記載の警告システムでは、防災情報受信機は、防災情報を受信すると、受信した防災情報に示された災害の発生場所や規模に基づいて、警報情報を各パーソナルコンピュータへ配信するか否か判断する。この警報情報には、警報音を示す音声データや避難を指示する旨の警報メッセージを示す表示データなどが含まれている。
【０００５】
各パーソナルコンピュータは、防災情報受信機からＬＡＮを介して警報情報を受信すると、警報情報に含まれている音声データおよび表示データに基づいて、警報音を出力するとともに、警報メッセージを表示する。
【０００６】
特許文献１に記載のシステムによれば、防災情報受信機からの警報情報を受信したパーソナルコンピュータが警報音を出力するため、パーソナルコンピュータの利用者だけでなく、パーソナルコンピュータの周辺にいる人も災害の発生に気付く。これにより、災害が発生したことをより多くの人に警告できるようになる。
【特許文献１】特開２００７−２０６７５２号公報
【発明の開示】
【発明が解決しようとする課題】
【０００７】
特許文献１に記載の警告システムでは、パーソナルコンピュータを通じて災害の発生を通知する構成とされ、パーソナルコンピュータが配置されていることを前提として構成されている。
【０００８】
近年、パーソナルコンピュータが配置されるような高いセキュリティ対策が必要とされる職場では、職場への入退室を施錠を含めて管理する入退室管理システムが一般的となっている。
【０００９】
パーソナルコンピュータを通じて災害の発生が通知を受けた場合、多くの被通知者は避難場所に避難することが予想される。入退室管理システムは、解錠を依頼する旨の入力が行われない限り扉を施錠状態にしている。そのため、入退室管理システムが設置されていて、各システムが独立に動作する構成の場合には、扉を解錠させないと退室できないため、災害の発生の通知を受けて避難する際に時間を要することとなる。
【００１０】
本発明は、災害が発生したときに迅速に避難することが可能な避難支援システム、入退室管理装置、電気錠、および避難支援方法を実現する技術を提供することを目的とする。
【課題を解決するための手段】
【００１１】
上記目的を達成するための本発明による避難支援システムは、
扉の施錠および解錠を行う電気錠と、該電気錠を介して扉の施錠および解錠状態を制御する入退室管理装置と、を備える避難支援システムであって、
前記入退室管理装置は、災害の発生を示す情報を受信すると、前記電気錠へ前記扉を解錠状態とする指示を出力する制御部を有する。
【００１２】
また、上記目的を達成するための本発明による入退室管理装置は、
扉の施錠および解錠を行う電気錠を介して扉の施錠および解錠状態を制御する入退室管理装置であって、
災害の発生を示す情報を受信すると、前記電気錠へ前記扉を解錠状態とする指示を出力する制御部を有する。
【００１３】
また、上記目的を達成するための本発明による他の入退室管理装置は、
音声出力手段を備える電気錠の動作を制御する入退室管理装置であって、
災害の発生を警告する旨の音声を示す音声データを格納する記憶部と、
前記災害の発生を示す情報を受信すると、前記電気錠へ前記扉を解錠状態とする指示を出力するとともに、前記記憶部に格納されている音声データを前記音声出力手段へ送信し、送信した音声データに示された音声を前記音声出力手段に出力させる制御部と、を有する。
【００１４】
また、上記目的を達成するための本発明による電気錠は、
入退室管理装置の制御に基づいて動作する電気錠であって、
前記災害の発生を警告する旨の音声を示す音声データを格納する記憶部と、
前記入退室管理装置からの第１の指示が入力されると、扉を解錠する駆動部と、
前記入退室管理装置からの第２の指示が入力されると、前記記憶部に格納されている音声データに示された音声を出力する音声出力手段と、
を有する。
【００１５】
また、上記目的を達成するための本発明による避難支援方法は、
扉の施錠および解錠を行う電気錠を介して扉の施錠および解錠状態を制御する入退室管理装置で行われる避難支援方法であって、
災害の発生を示す情報を受信すると、前記電気錠へ前記扉を解錠状態とする指示を出力する。
【００１６】
また、上記目的を達成するための本発明による他の避難支援方法は、
記憶部を備え、音声出力手段を備える電気錠の動作を制御する入退室管理装置で行われる避難支援方法であって、
災害の発生を警告する旨の音声を示す音声データを前記記憶部に格納し、
前記災害の発生を示す情報を受信すると、前記駆動部へ前記扉を解錠状態とする指示を出力するとともに、前記記憶部に格納されている音声データを前記音声出力手段へ送信し、送信した音声データに示された音声を前記音声出力手段に出力させる。
【００１７】
また、上記目的を達成するための本発明による他の避難支援方法は、
災害の発生を警告する旨の音声を示す音声データを格納する記憶部と、音声出力手段とを備える電気錠の動作を制御する入退室管理装置で行われる避難支援方法であって、
前記災害の発生を示す情報を受信すると、前記電気錠へ前記扉を解錠状態とする指示を出力するとともに、前記記憶部に格納されている音声データに示された音声を前記音声出力手段より出力させる。
【発明の効果】
【００１８】
本発明によれば、災害の発生を示す情報が入退室管理装置へ提供されると、入退室管理装置は電気錠へ扉を解錠状態とする指示を出力し、電気錠は入退室管理装置の指示に従って扉を解錠する。これにより、避難の際には、扉は解錠状態となっている。そのため、災害が発生したときに迅速に避難することが可能となる。
【発明を実施するための最良の形態】
【００１９】
本実施形態の避難支援システムについて、図面を参照しながら説明する。
【００２０】
図１は、本発明による避難支援システムの一実施形態の構成を示すブロック図である。
【００２１】
本実施形態の避難支援システムは、図１に示すように、災害情報提供装置１と、入退室管理装置２と、電気錠３と、電気錠４と、を有する。
【００２２】
なお、本実施形態では、入退室管理装置２は、災害情報提供装置１とネットワーク１００を介して接続され、電気錠３および電気錠４とネットワーク１０１を介して接続されている。
【００２３】
災害情報提供装置１は、災害の発生を示す災害情報を、ネットワーク１００を介して入退室管理装置２へ提供する。なお、この災害情報は、入退室管理装置２が入退室を管理する場所（電気錠３および電気錠４が設置されている建物）からの避難を要する災害が発生したときに、災害情報提供装置１からネットワーク１００を介して入退室管理装置２へ提供される。
【００２４】
入退室管理装置２は、記憶部２１および制御部２２を有する。記憶部２１は、音声データを格納する。この音声データには、災害の発生を警告する旨の音声が示されている。制御部２２は、電気錠３および電気錠４の動作を制御する。
【００２５】
電気錠３は、扉の近傍に設置され、駆動部３１と、スピーカー３２と、を含む。また、電気錠４は、電気錠３と異なる扉の近傍に設置され、駆動部４１と、スピーカー４２とを含む。
【００２６】
駆動部３１および駆動部４１は、入退室管理装置２の制御に基づいて、施錠動作および解錠動作を行う。スピーカー３２およびスピーカー４２は、音声出力手段の一つであり、音声データに示された音声を出力する。
【００２７】
次に、入退室管理装置２が入退室を管理する場所からの避難を要する災害が発生したときの、本実施形態の避難支援システムの各構成の動作について説明する。
【００２８】
図２は、入退室管理装置２が入退室を管理する場所からの避難を要する災害が発生したときの、災害情報提供装置１、入退室管理装置２、電気錠３、および電気錠４の動作を示すシーケンス図である。
【００２９】
入退室管理装置２が入退室を管理する場所からの避難を要する災害が発生すると、災害情報提供装置１がネットワーク１００を介して災害情報を入退室管理装置２へ提供する（ステップＳ１）。
【００３０】
災害情報が入退室管理装置２へ提供されると、制御部２２は、電気錠３および電気錠４のそれぞれへ、ネットワーク１０１を介して、解錠を指示するとともに、記憶部２１に格納されている音声データを送信する（ステップＳ２）。
【００３１】
すると、駆動部３１および駆動部４１は、制御部２２の指示に従って扉を解錠する（ステップＳ３）。また、スピーカー３２およびスピーカー４２は、制御部２２からの音声データに示された音声を出力する（ステップＳ４）。
【００３２】
本実施形態では、入退室管理装置２が入退室を管理する場所からの避難を要する災害が発生すると、入退室管理装置２が各電気錠へ解錠を指示する。そのため、避難の際には、扉の解錠を依頼する入力が行われなくても、扉は解錠状態となっている。これにより、迅速に避難することが可能となる。
【００３３】
なお、本実施形態の避難支援システムでは、入退室管理装置２が２台の電気錠の施錠動作および解錠動作を個別に制御する構成となっているが、本発明では、電気錠の数は特に制限されるものではなく、１台または３台以上であってもよい。
【００３４】
また、本実施形態では、記憶部２１に格納される音声データに、例えば非常口の場所など避難を支援する音声が示されていることとしてもよい。この場合、避難者に避難経路を指示できるため、迅速かつ安全に避難することが可能となる。
【００３５】
なお、本発明では、災害の発生を警告する旨の音声を示す音声データを、入退室管理装置２の記憶部２１に格納するのではなく、電気錠３および電気錠４のそれぞれに記憶部を設け、各記憶部にそれぞれ格納することとしてもよい。この場合、入退室管理装置２から各電気錠へ音声データをそれぞれ送信しなくても災害の発生を警告できる。これにより、入退室管理装置２から各電気錠への音声データの伝送路が不要となるため、システムの構成をより簡易にすることが可能となる。
【図面の簡単な説明】
【００３６】
【図１】本発明による避難支援システムの一実施形態の構成を示すブロック図である。
【図２】本実施形態の入退室管理装置が入退室を管理する場所からの避難を要する災害が発生したときの避難支援システムの各構成の動作を示すシーケンス図である。
【符号の説明】
【００３７】
１  災害情報提供装置
２  入退室管理装置
３、４  電気錠
２１  記憶部
２２  制御部
３１、４１  駆動部
３２、４２  スピーカー
１００、１０１  ネットワーク
【図１】
2009221704.tif 000003
【図２】
2009221704.tif 000004